【手続補正書】
【提出日】平成17年7月8日(2005.7.8)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、紙おむつや生理用ナプキン等の、身体の所定部位に接して使用される使い捨て吸収性物品およびその製造方法に関する。
【０００２】
【従来の技術】
周知のように、従来のこの種の使い捨て吸収性物品は、透液性トップシートと不透液性バックシートとの間に吸収コアを配してなる吸収要素や、製品外形をなす外形シートから構成されており、これら面パーツはいずれも平面的なものである。そのため、これをそのまま立体的な身体の所定部位にフィットさせることはできない。
【０００３】
よって、従来は、適所に糸ゴム等の弾性伸縮部材を配置して吸収性物品を装着部の身体表面形状（臀部の膨らみ、臀裂、男性性器）に沿うように強制的に撓ませたり、部分的に収縮させたりすることにより立体形状にしていた。さらに身体表面と吸収性物品との空隙をなくすために、いわゆる立体ギャザー（カフス）を設けることも行われていた。
【０００４】
【発明が解決しようとする課題】
しかしながら、かかる従来の吸収性物品においては、身体表面に対するフィット性に問題点が残されていた。
【０００５】
すなわち従来の吸収性物品では、平面的な面パーツを、複雑な凹凸や曲面のある立体的な身体表面形状に沿うように、強制的に変形させているため、身体表面形状に沿えない部分に皺等の空隙を生じ、当該部分が身体の動きに追随できずズレを生じたり、着用者に違和感を覚えさせたりするという問題点があった。
【０００６】
特に吸収要素は、その吸収コアが折り目無く綺麗に撓みにくいため、皺等の空隙を生じ易い。かかる空隙を生じた場合、前述の問題点のほかにも吸収性能が阻害されるという問題点が発生する。
【０００７】
そこで、本発明の主たる課題は、吸収性物品の身体表面へのフィット性を向上させることにある。
【０００８】
【課題を解決するための手段】
上記課題を解決した本発明のうち、請求項１記載の発明は、身体の所定部位に接して使用される使い捨て吸収性物品であって、
少なくとも一部分が、立体裁断およびその接合により身体接触部に沿う立体形状に形成された、ことを特徴とする使い捨て吸収性物品である。
【０００９】
請求項２記載の発明は、複数のシートパーツの端縁相互が接合されて形成された、身体の所定部位に接して使用される使い捨て吸収性物品であって、
前記シートパーツにおける接合端縁の少なくとも一部が立体裁断され、且つ対応するシートパーツの接合端縁と接合されることにより、当該接合部分に身体接触部に沿う立体形状部分が形成された、ことを特徴とする使い捨て吸収性物品である。
【００１０】
請求項３記載の発明は、単数のシートにより又は複数のシートの端縁相互を接合することにより形成された、身体の所定部位に接して使用される使い捨て吸収性物品であって、
前記シートの少なくとも一部に立体裁断により切欠部が形成され且つこの切欠部の端縁相互が接合されることにより、当該接合部分に身体接触部に沿う立体形状部分が形成された、ことを特徴とする使い捨て吸収性物品である。
【００１１】
請求項４記載の発明は、前記シートが、透液性トップシートと不透液性バックシートとの間に吸収コアを配してなる吸収性シート、吸収性を有しない非吸収性シートおよび弾性伸縮部材が配置固定された弾性伸縮シートの少なくとも一種とされた、請求項２または３記載の使い捨て吸収性物品である。
【００１２】
請求項５記載の発明は、前記接合部が、製品前後方向に沿って形成された、請求項１〜４のいずれか１項に記載の使い捨て吸収性物品である。
【００１３】
請求項６記載の発明は、前記接合部が、製品前後方向に沿って且つ製品幅方向に間隔をおいて複数形成された、請求項１〜５のいずれか１項に記載の使い捨て吸収性物品である。
【００１４】
請求項７記載の発明は、排尿器官および排便器官の少なくとも一方に相当する部分が、前記立体裁断およびその接合によりポケット状をなすように形成された、請求項１〜６のいずれか１項に記載の使い捨て吸収性物品である。
【００１５】
請求項８記載の発明は、身体の所定部位に接して使用される使い捨て吸収性物品を製造する方法であって、
少なくとも一部分を、立体裁断およびその接合により身体接触部に沿う立体形状に形成する、ことを特徴とする使い捨て吸収性物品の製造方法である。
【００１６】
請求項９記載の発明は、身体の所定部位に接して使用される使い捨て吸収性物品を製造する方法であって、
少なくとも一部が立体裁断された接合端縁を有する複数のシートパーツを製造するとともに、これら複数のシートパーツの端縁相互を接合することによって、当該接合部分に身体接触部に沿う立体形状部分が形成された使い捨て吸収性物品を製造する、ことを特徴とする使い捨て吸収性物品の製造方法である。
【００１７】
請求項１０記載の発明は、身体の所定部位に接して使用される使い捨て吸収性物品を製造する方法であって、
少なくとも一部が立体裁断により形成された切欠部を有するシートを製造するとともに、このシートにおける切欠部の端縁相互を接合することによって、当該接合部分に身体接触部に沿う立体形状部分が形成された使い捨て吸収性物品を製造する、ことを特徴とする使い捨て吸収性物品の製造方法である。
【００１８】
＜作用＞
本発明によれば、立体裁断（例えば直線でない曲線状又は屈曲線状の裁断であって接合し製品となったときに身体接触部表面に沿う立体形状となるもの）およびその接合により、弾性伸縮部材による変形を利用せずに、身体接触部に沿う立体形状に形成することができ、吸収性物品の身体表面へのフィット性を向上させることができる。またそれによって、横漏れ等の漏れ防止能力が向上する、および体型に合った製品を製造できる等の利点がもたらされる。
【００１９】
【発明の実施の形態】
以下、本発明の実施の形態について添付図面を参照しつつ詳説する。
＜第１の吸収性物品例＞
図１〜図４は、いわゆる失禁パッドに本発明を適用した例１を示している。本例の失禁パッド１は、線対称をなす左右一対の吸収性シートパーツＡ，Ｂから構成される。各吸収性シートパーツＡ，Ｂは全体的には略矩形とされ、不織布などからなり着用者の肌に直接触れる透液性トップシート２とポリエチレンプラスチックフィルムなどからなる不透液性バックシート４との間に綿状パルプ等からなりある程度の剛性を有する吸収コア３を配し、周縁の全体において透液性トップシート２と不透液性バックシート４とをヒートシールやホットメルト接着剤や熱収縮性接着剤等により接着して形成されている。これら接着剤等の接着手段は、図４に＊で示されている（以下の例に同じ）。
【００２０】
そして、図１と図３との対比からも明らかなように、これら吸収性シートパーツＡ，Ｂ相互が、製品幅方向中心線において対称をなす端縁Ｅ１，Ｅ１において透液性トップシート２，２がわ面を合わせるように接合されている。よって、パーツ相互の接合部７は、製品前後方向に沿ってかつ製品外側に突出するように形成される。
【００２１】
特徴的には、各吸収性シートパーツＡ，Ｂにおいて、対応する吸収性パーツとの接合端縁Ｅ１の男性性器相当部ＥＸが、接合後においてポケット部（凹部）８が形成されるように、弧状に張り出した形にそれぞれ立体裁断されている。もちろん、接合端縁Ｅ１の他の部位または全体を立体裁断により接合後に身体接触部に沿う立体形状となるように形成することもできる。
【００２２】
さらに図示するように本発明では、各パーツの脚周り端縁（非接合端縁）Ｅ２，Ｅ２に沿って脚周りギャザーＧ，Ｇを設けることもできる。本例の脚周りギャザーＧ，Ｇは、図４に示されるように、各シートパーツＡ，Ｂの脚周り端縁部Ｅ２，Ｅ２から使用面側に突出するようにそれぞれ形成されており、実質的に幅方向に連続したギャザーシート５と、たとえば糸ゴムからなる弾性伸縮部材６Ａ（図示例では一本とされているが複数本であっても良い）とにより構成されている。
【００２３】
より詳細には、本例の脚周りギャザーＧにおいては、ギャザーシート５の基端部５Ｐ（製品幅方向一端部）が吸収性シートパーツの脚周り端縁部Ｅ２にホットメルト接着等により接着固定される一方、他端側が自由とされ、この自由端側先端部が折り返され、折り返し部分５Ｔに弾性伸縮部材６Ａが挟まれホットメルト接着剤などにより固着されており、また特に長手方向前後端部においては、起立部相当部（起立部の延長部）５Ｆ，５Ｂが、物品の中央側に向かう状態で物品に、具体的には脚周り端縁部Ｅ２のみならず透液性トップシート２表面に固定されている。なお、各ギャザーシート５は、透液性でなく不透液性もしくは疎水性であるのが望ましい。また透液性シートに対してシリコン処理などにより液体をはじく性質となるようにしたものも用いることができる。図示例では、比較的に簡素なギャザーを取付けているが、他の公知のギャザーを取付けることもできる。
【００２４】
さらに図示するように、本発明では、各パーツの脚周り端縁Ｅ２，Ｅ２における透液性トップシート２と不透液性バックシート４との間に、脚周りに沿って弾性伸縮部材６Ｂ，６Ｂを配置固定することもできる。また、他の部位にも弾性伸縮部材を配置することは可能である。なお、この脚周り弾性伸縮部材６Ａ，６Ｂにより、脚周り端縁が長手方向に若干収縮されるものの、これら脚周り弾性伸縮部材６Ａ，６Ｂの有無に関係なく、立体裁断部は身体表面に沿う立体形状になることはいうまでもない。
【００２５】
かくして、本形態においては、男性性器相当部に、男性性器の膨らみ形状に沿う立体形状の吸収性ポケット部８が形成されているため、この吸収性ポケット部８に男性性器が圧迫されることなく収容される。よって、フィット性が良好となり、皺等の空隙やズレが生じ難いとともに、着用者に違和感を覚えさせ難くなる。またそのため、特に吸収性ポケット部８において吸収性能が阻害され難く、集中的に尿を受け入れ吸収できることもあいまって、漏れが生じ難くいパッドとなる利点もある。
【００２６】
＜第２の吸収性物品例＞
図５〜図１０は、着用に際して側縁部（腰脇部）相互を止着テープにより止着する、いわゆるテープ止着紙おむつに本発明を適用した例１０を示している。なお、図中ＦＤは前身頃を示し、ＢＫが後身頃を示している。
【００２７】
本例の紙おむつ１０は、図８の分解状態と他の図との対比からも判るように、臀裂部を通る製品幅方向中心線、臀部膨らみ頂上部を通り製品幅方向中心線と平行な各線において分割された、左右一対の中央部吸収性シートパーツＡ，Ａ’と、その両側の左右一対の側端部吸収性シートパーツＢ，Ｂ’とから構成されている。よって、本例の場合、接合部７，７…は、製品前後方向に沿って且つ製品幅方向に間隔をおいて複数形成される。
【００２８】
各シートパーツの長手方向（製品前後方向）に沿う両端縁は、隣接シートパーツの対応する端縁と線対称をなすように形成されている。
具体的には、図８に示されるように、各中央部吸収性シートパーツＡ，Ａ’における製品幅方向中心線に沿う端縁Ｅ３相互が線対称をなすように形成されており、また各中央部吸収性シートパーツＡ，Ａ’における臀部膨らみ頂上部を通り製品幅方向中心線と平行な各線に沿う端縁Ｅ４，Ｅ４と、対応する側端部吸収性シートパーツＢ，Ｂ’の中央側端縁Ｅ５，Ｅ５とが線対称をなすように形成されている。そして、図５と図８との対比からも判るように、各中央部吸収性シートパーツＡ，Ａ’相互が、製品幅方向中心線に沿う端縁Ｅ３，Ｅ３において透液性トップシート２，２がわ面を合わせるように接合される一方で、各中央部吸収性シートパーツＡ，Ａ’における臀部膨らみ頂上部を通り製品幅方向中心線に平行な各線に沿う端縁Ｅ４，Ｅ４と対応する側端部吸収性シートパーツＢ，Ｂ’の中央側端縁Ｅ５，Ｅ５とが、透液性トップシート２，２がわ面を合わせるように接合される。
【００２９】
特に、各中央部吸収性シートパーツＡ，Ａ’における製品幅方向中心線に沿う端縁Ｅ３，Ｅ３においては、男性性器相当部ＥＸが、接合後においてポケット部（凹部）８Ａが形成されるように、弧状に張り出した形にそれぞれ立体裁断により形成されている。
【００３０】
また、各中央部吸収性シートパーツＡ，Ａ’における臀部膨らみ頂上部を通り製品幅方向中心線に平行な各線に沿う端縁Ｅ４，Ｅ４と、各側端部吸収性シートパーツＢ，Ｂ’における同じく臀部膨らみ頂上部を通り製品幅方向中心線に平行な各線に沿う端縁Ｅ５，Ｅ５とにおいては、臀部膨らみに相当する部分ＥＹ，ＥＹが、接合後において臀膨らみ部（凹部）８Ｂ，８Ｂが形成されるように、弧状に張り出した形にそれぞれ立体裁断により形成されている。
【００３１】
他方、本例においては、特に図９に詳細に示されるように、各側端部吸収性シートパーツＢ，Ｂ’の脚周り端縁（非接合端縁）Ｅ６，Ｅ６に沿って、前述第１の物品例と同様の脚周りギャザーＧ，Ｇが設けられており、また各側端部吸収性シートパーツＢ，Ｂ’の脚周り端縁Ｅ６，Ｅ６における透液性トップシート２と不透液性バックシート４との間に、脚周りに沿って弾性伸縮部材６Ｂ，６Ｂが配置固定されている。
【００３２】
また、図６に示されるように、前身頃ＦＤにおける下腹部相当部表面に止着受けシート９Ａが配置固定されるとともに、後身頃ＢＫにおける側端部に止着テープ９Ｂ，９Ｂが取付けられており、おむつ１０は、使用形状にされた後に、後身頃両側端部の止着テープ９Ｂ，９Ｂを前身頃ＦＤの止着受けシート９Ａに貼り付けることにより身体に装着される。止着テープ９Ｂとしては止着面に粘着剤や多数の微小フックが取付けられたものを用いることができ、前者の場合の止着受けシートとしては粘着剤が接着される合成樹脂等のフィルムを用いることができ、後者の場合の止着受けシートとしては微小フックが引っ掛かる多数の微小リングが表面に形成されたシートを用いることができる。
【００３３】
かくして、本形態の紙おむつ１０においては、図６および図７からも判るように、男性性器相当部に前述第１の例と同様な男性性器の膨らみ形状に沿う立体形状の吸収性ポケット部８Ａが形成されるとともに、各臀部の膨らみに相当する部分にその膨ら形状に沿う立体形状の臀膨らみ部８Ｂ，８Ｂがそれぞれ形成され、また臀裂部に相当する臀膨らみ部８Ｂ，８Ｂ間中央に、中央部吸収性シートパーツＡ，Ａ’の接合部７により臀裂部形状に沿う立体形状の谷部８Ｃが形成され、おむつ装着部の身体表面全体に対して略理想的にフィットする紙おむつとなる。よって、前述第１の例と同様の利点のほか、例えば服の下に着用しても嵩張ることなく、外側からおむつの着用の有無が判り難い等の利点ももたらされる。
【００３４】
＜第３の吸収性物品例＞
図１０〜図１４は、いわゆるパンツ型紙おむつに本発明を適用した例２０を示している。
【００３５】
本例のパンツ型紙おむつ２０は、図１３の分解状態と他の図との対比からも判るように、臀裂部を通る製品幅方向中心線、臀部膨らみ頂上部を通り製品幅方向中心線と平行な各線、および腰脇部の前後各線において分割された、左右一対の中央部吸収性シートパーツＡ，Ａ’と、その両側の左右一対の側端部吸収性シートパーツＣ，Ｃ’と、一方の側端部吸収性シートパーツＣと他方Ｃ’とを腰脇部相当個所において繋ぐ、左右一対の腰脇部弾性伸縮シートパーツＤ，Ｄ’とから構成されている。なお、この弾性伸縮シートパーツＤ，Ｄ’としては、シート材上またはシート材間に、複数の糸ゴム等の弾性伸縮部材６Ｃを製品前後方向に沿って且つ相互に平行に配置固定してなるものである。
【００３６】
各シートパーツの長手方向（製品前後方向）に沿う両端縁は、隣接シートパーツの対応する端縁と線対称をなすように形成されている。
具体的には、図１３に示すように、各中央部吸収性シートパーツＡ，Ａ’における製品幅方向中心線に沿う端縁Ｅ３相互が線対称をなすように形成され、各中央部吸収性シートパーツＡ，Ａ’における臀部膨らみ頂上部を通り製品幅方向中心線と平行な各線に沿う端縁Ｅ４，Ｅ４と、対応する側端部吸収性シートパーツＣ，Ｃ’の中央側端縁Ｅ５，Ｅ５とが線対称をなすように形成され、側端部吸収性シートパーツＣ，Ｃ’の各腰脇部側端縁Ｅ７，Ｅ７…と、対応する腰脇部弾性伸縮シートパーツＤ，Ｄ’の両端縁Ｅ８，Ｅ８…とが線対象をなすように形成されている。
【００３７】
そして、図１０と図１３との対比からも明らかなように、各中央部吸収性シートパーツＡ，Ａ’相互が、製品幅方向中心線に沿う端縁Ｅ３，Ｅ３において透液性トップシート２，２がわ面を合わせるように接合され、各中央部吸収性シートパーツＡ，Ａ’における臀部膨らみ頂上部を通り製品幅方向中心線に平行な各線に沿う端縁Ｅ４，Ｅ４と対応する側端部吸収性シートパーツＣ，Ｃ’の中央側端縁Ｅ５，Ｅ５とが、透液性トップシート２，２がわ面を合わせるようにそれぞれ接合され、側端部吸収性シートパーツＣ，Ｃ’の各腰脇部側端縁Ｅ７，Ｅ７…と、対応する腰脇部弾性伸縮シートパーツＤ，Ｄ’の両端縁Ｅ８，Ｅ８…とが透液性トップシート２，２がわ面を合わせるように接合される。各接合部は符号７で示されている。
【００３８】
本例においても、各中央部吸収性シートパーツＡ，Ａ’における製品幅方向中心線に沿う端縁Ｅ３，Ｅ３における男性性器相当部ＥＸが、接合後においてポケット部（凹部）８Ａが形成されるように、弧状に張り出した形にそれぞれ立体裁断されており、また、各中央部吸収性シートパーツＡ，Ａ’における臀部膨らみ頂上部を通り製品幅方向中心線に平行な各線に沿う端縁Ｅ４，Ｅ４と、各側端部吸収性シートパーツＣ，Ｃ’における同じく臀部膨らみ頂上部を通り製品幅方向中心線に平行な各線に沿う端縁Ｅ５，Ｅ５とにおいては、臀部膨らみに相当する部分ＥＹ，ＥＹが、接合後において臀膨らみ部（凹部）８Ｂが形成されるように、弧状に張り出した形にそれぞれ立体裁断されている。さらに、第２の例と同様に、脚周り相当個所に、脚周りギャザーＧ，Ｇおよび脚周り弾性伸縮部材６Ａ，６Ｂが設けられている。
【００３９】
かくして図１１および図１２に示すように、腰脇部が弾性伸縮シートパーツＤから形成され、予めおむつ形状とされている以外は、前述の第２の例と同様に、男性性器相当部に前述第１の例と同様な男性性器の膨らみ形状に沿う立体形状の吸収性ポケット部８Ａが形成されるとともに、各臀部の膨らみに相当する部分にその膨らみ形状に沿う立体形状の臀膨らみ部８Ｂ，８Ｂがそれぞれ形成され、また臀裂部に相当する臀膨らみ部８Ｂ，８Ｂ間中央に、中央部吸収性シートパーツＡ，Ａ’の接合部により臀裂部形状に沿う立体形状の谷部８Ｃが形成され、おむつ装着部の身体表面全体に対して略理想的にフィットする紙おむつ２０となる。
【００４０】
なお、本第３の例からも理解されるように、本発明では、一部のシートパーツとして弾性伸縮パーツや非吸収性パーツを用いることができる。
【００４１】
＜第４の吸収性物品例＞
上記例は、複数のシートパーツを端縁接合することにより立体形状に形成しているが、単数のシートであっても少なくとも一部に立体裁断により切欠部を形成し且つこの切欠部の端縁相互を接合して、当該接合部分に身体接触部に沿う立体形状部分を形成した吸収性物品とすることもできる。
【００４２】
これを失禁パッドに適用した具体例が図１５〜図１９に示されている。図１５および図１６に示す例では、男性性器相当個所において、製品前側端縁から後側に向けて次第に切欠幅が狭くなるとともに製品前後方向に沿う幅方向中心線において線対称をなす略人字状の切欠部３１が立体裁断により形成された吸収性シートＳ１を用いている。この吸収性シートＳ１も、図１５に示すように、透液性トップシート２と不透液性バックシート４との間に吸収コア３を配し、切欠部を含めた周縁の全体において透液性トップシート２と不透液性バックシート４とをヒートシールやホットメルト接着剤や熱収縮性接着剤等により接着して形成されている。かかる吸収性シートＳ１の切欠端縁３１Ａ，３１Ａ相互を、透液性トップシート２，２がわ面を合わせるように接合することにより、図１６に示すように男性性器相当個所に立体ポケット部８Ａが形成された失禁パッド３０となる。なお、３２，３２は、シートＳ１の側端縁における脚周り相当個所の接合されない弧状切欠部位を示しており、Ｇは、脚周りギャザーを示している。
【００４３】
また、図１７〜図１９に示す例では、さらに臀部膨らみ個所にそれぞれ相当する部位に対して後側端縁から略人字状の切欠部４２，４２がそれぞれ立体裁断により形成されるとともに、臀裂部に相当する部位にも略人字状の切欠部４３が立体裁断により形成された吸収性シートＳ２を用いている。そして臀裂部に相当する部位の切欠部４３における切欠端縁４３Ａ，４３Ａ相互、臀膨らみ部に相当する部位の切欠部４２における切欠端縁４２Ａ，４２Ａ相互、および男性性器相当個所の切欠部４１における切欠端縁４１Ａ，４１Ａ相互が、透液性トップシート２，２がわ面を合わせるように接合される。よって、その接合部は製品外側に突出する。
【００４４】
その結果、図１８および図１９に示すように、男性性器相当部に前述第１の例と同様な男性性器の膨らみ形状に沿う立体形状の吸収性ポケット部８Ａが形成されるだけでなく、各臀部の膨らみに相当する部分にその膨らみ形状に沿う立体形状の臀膨らみ部８Ｂ，８Ｂがそれぞれ形成され、また臀裂部に相当する臀膨らみ部８Ｂ，８Ｂ間中央に、臀裂部形状に沿う立体形状の谷部８Ｃが形成され、装着部の身体表面全体に対して略理想的にフィットする失禁パッド４０となる。このように、複数のシートパーツを端縁接合せずとも、単数のシートの所定部位に切欠を形成することによって、所定部位を立体形状に形成することができる。
【００４５】
なお、図示例のように端縁から切り込みを入れるように切り欠くことのほか、図２０に示すように、シートＳ３の周縁を除いた部分をくり貫くように切り欠くこともでき、この切欠部５１の切欠端縁５１Ａ，５１Ａ相互を接合することにより、当該接合部７を部分的に製品内側に膨出させた吸収性物品５０を得ることができる。
【００４６】
また図示しないが、この立体裁断切欠を前述の複数シートパーツの端縁接合形態に組み合わせて、立体形状の吸収性物品を形成することもできる。
【００４７】
＜製造方法例＞
製造に際しては、各シートパーツ（半製品）を組立てた後、パーツ相互を接合するのが好ましい。例えば前述の第１の例に係る失禁パッド１を製造する場合、図２１に示すように、不透液性バックシート４、吸収コア３および透液性トップシート２を各パーツの形状に裁断し、これらを積層し周縁全体を接着することにより、各吸収性シートパーツＡ，Ｂ’を製造した後、これら吸収性シートパーツＡ，Ｂ’相互を接合することにより製品１を得ることができる。なお、この各シートパーツの組立てとパーツ相互の接合とは、製造ラインで同時的に行っても良いし、別ラインで別工程として行っても良い。
【００４８】
また、前述第４の例のように立体裁断切欠を利用した吸収性物品３０を製造する場合には、図２２に示すように、予め立体裁断により切欠が形成された不透液性バックシート４、吸収コア３および透液性トップシート２を順に積層し、周縁全体を接着することにより切欠を有する吸収性シートＳ１（半製品）を製造してから、切欠端縁相互を接合するのが好ましい。
【００４９】
なお、脚周りギャザーを設ける場合には、適宜の段階で（例えば吸収性シートＳ１を製造した後に端縁相互を接合する前に）、図示しない弾性伸縮部材が取付けられたギャザーシートをシートの所定位置に取付ける。
【００５０】
＜その他＞
（イ）上記例では、接合部を製品前後方向に沿うように形成しているが、本発明においては、製品幅方向等の他の方向もしくは任意の曲線に沿って接合部を形成することもできる。またこれらの各種接合部を組合せることもできる。
【００５１】
（ロ）また、上記例の接合部７は製品外側に突出するように接合されているが、図２３に示すように不透液性バックシート４，４相互が合わさるように接合し、製品内側に突出させることもできる。またこれらの場合において製品外側または内側に突出する部分を折り畳み、接着等により製品外側または内側表面に固定することもできる。図２４には、製品外側で突出部分を折り畳み固定した例が示されている。
【００５２】
（ハ）さらに、上記例では、吸収性シートパーツの平面方向全体にわたり吸収コアが配されているが、一部にだけ、例えば排尿器官相当部から排便器官相当部までの領域にだけ吸収コアが存在するように構成することもできる。また、平面方向全体にわたり吸収コアが存在する吸収性シートパーツを連結して物品を形成する場合において、排尿器官相当部から排便器官相当部までの領域にだけ吸収性シートパーツを用い、他の部分を非吸収性パーツや弾性伸縮パーツにより形成することもできる。
【００５３】
（ニ）吸収コアとしては、前述の綿状パルプを主体とするもののほか、特に高分子高吸収性材料を主体とするものが好ましい。すなわち上記例では、パーツ相互または切欠端縁相互の接合部は谷部となるので、ここに排泄物が集まり易いとともに、当該接合部には吸収体が存在していない。そのため、吸収コアによる吸収速度が遅かったり吸収量が少ないと、当該接合部から排泄物が漏れるおそれがある。そこで、吸収コアの少なくとも接合部近傍に高吸収性材料を主体とする材料を用いることにより、当該接合部における吸収性能が高まり、排泄物漏れのおそれが少なくなる。また、この問題点を解決するために、吸収パーツ相互または切欠端縁相互の接合部に、別の吸収性シートパーツを被せたりすることもできる。
【００５４】
（ホ）上記例では接合される端縁相互が線対称とされているが、本発明では非対称に形成することもできる。
【００５５】
（ヘ）上記例では、吸収性物品における身体表面に沿う面を形成する面部分を立体形成しているが、他の部分例えばギャザーを立体裁断およびその接合により形成することもできる。
【００５６】
【発明の効果】
以上のとおり、本発明によれば、吸収性物品の身体表面へのフィット性が向上する。
【手続補正２】
【補正対象書類名】図面
【補正対象項目名】図１０
【補正方法】変更
【補正の内容】
【図１０】
2002052041.tif 000001
【手続補正３】
【補正対象書類名】図面
【補正対象項目名】図１３
【補正方法】変更
【補正の内容】
【図１３】
2002052041.tif 000002